(57)【特許請求の範囲】
【請求項１】
撮影モードおよび再生モードを択一的に選択するモード選択手段と、
前記撮影モードが選択されているときには人物の撮影に適した人物撮影条件を指示し、前記再生モードが選択されているときには人物の再生に適した人物再生条件を指示する専用操作部材と、
画像を表示するモニタと、
前記撮影モードが選択されかつ前記人物撮影条件とは異なる撮影条件が設定されているときに前記専用操作部材が１回操作されると前記人物撮影条件によって撮影された画像を前記モニタに表示し、前記撮影モードが選択されかつ前記人物撮影条件が設定されているときに前記専用操作部材が１回操作されると前記人物撮影条件が設定される前の前記異なる撮影条件によって撮影された画像を前記モニタに表示し、前記再生モードが選択されているときに前記専用操作部材が１回操作されると前記人物再生条件によって再生処理された画像を前記モニタに表示する表示制御手段と、
を備えることを特徴とするカメラ。
【請求項２】
請求項１に記載のカメラにおいて、
前記撮影モードが選択されかつ前記人物撮影条件が設定されているときに前記人物撮影条件によって撮影された画像の記録を指示する第１記録指示部と、
前記再生モードが選択されかつ前記専用操作部材が操作されると、前記人物再生条件によって再生処理された画像の記録の可否を指示する第１記録指示部とは異なる第２の記録指示部と、
を備えることを特徴とするカメラ。
【請求項３】
請求項１または２に記載のカメラにおいて、
前記表示制御手段は、前記人物再生条件によって再生処理された画像と、前記人物再生条件によって再生処理される前の画像とを前記モニタ上に並列表示することを特徴とするカメラ。
【請求項４】
請求項１乃至３のいずれか一項に記載のカメラにおいて、
前記再生処理は、再生のために読み出した画像に階調補正を施す処理であることを特徴とするカメラ。
【請求項５】
請求項１乃至４のいずれか一項に記載のカメラにおいて、
前記専用操作部材は、レリーズボタンとは逆側のカメラ上面に設置されることを特徴とするカメラ。
【発明の詳細な説明】
【技術分野】
【０００１】
本発明は、人物の撮影および再生に最適なカメラに関する。
【背景技術】
【０００２】
従来から、メニュー機能を利用して種々の設定を行うデジタルカメラが知られている。下記特許文献１には、デジタルカメラのモニタ画面に表示されるメニュー項目に従った操作を繰り返すことにより、目的の設定事項を選択できるものが開示されている。
【特許文献１】特開平１１−２６１８５２号公報
【発明の開示】
【発明が解決しようとする課題】
【０００３】
しかし、上記特許文献のものでは、人物撮影において設定内容によっては下位の階層に至るまで設定操作を行わなければならず、操作が煩雑になるという問題がある。
【課題を解決するための手段】
【０００４】
本発明の一態様のカメラは、撮影モードおよび再生モードを択一的に選択するモード選択手段と、撮影モードが選択されているときには人物の撮影に適した人物撮影条件を指示し、再生モードが選択されているときには人物の再生に適した人物再生条件を指示する専用操作部材と、画像を表示するモニタと、撮影モードが選択されかつ人物撮影条件とは異なる撮影条件が設定されているときに専用操作部材が１回操作されると人物撮影条件によって撮影された画像をモニタに表示し、撮影モードが選択されかつ人物撮影条件が設定されているときに専用操作部材が１回操作されると人物撮影条件が設定される前の異なる撮影条件によって撮影された画像をモニタに表示し、再生モードが選択されているときに専用操作部材が１回操作されると人物再生条件によって再生処理された画像をモニタに表示する表示制御手段と、を備えることを特徴とする。
【発明の効果】
【０００５】
本発明によれば、専用操作部材の操作により、人物に関する条件を設定して撮影処理および再生処理を行うことができる。
【発明を実施するための最良の形態】
【０００６】
図１(ａ)は一実施の形態のコンパクト・デジタルカメラの正面斜視図、図１(ｂ)は背面斜視図である。カメラ本体１には撮影レンズ２や電子閃光装置３が取り付けられている。カメラ本体１の上面にはレリーズボタン４と、フェイスクリアボタン５と、電源スイッチ９とが設けられている。フェイスクリアボタン５は、人物に関する撮影条件や再生条件を設定する専用操作部材であり、カメラ本体１の中心に対してレリーズボタン４と反対側に設けられている。また、カメラ本体１の背面には液晶モニタ６、各種設定操作を行う設定スイッチ７と、再生モードに切り換える再生ボタン８が設けられている。
【０００７】
図２は一実施の形態のコンパクト・デジタルカメラの回路構成を示すブロック図である。
電源スイッチ９がオン操作されると撮影モードとなり、撮影レンズ２を通過して入射した被写体光が撮像素子１１へ導かれ、その撮像面上に被写体像が結像する。撮像素子１１は、画素に対応する複数の光電変換素子を備えたＣＣＤやＣＭＯＳイメージセンサによって構成され、撮像面上に結像されている被写体像を撮像し、被写体像の明るさに応じた光電変換信号を出力する。撮像素子１１の撮像面には、それぞれＲ（赤）、Ｇ（緑）およびＢ（青）のカラーフィルタが画素位置に対応するように設けられている。撮像素子１１がカラーフィルタを通して被写体像を撮像するため、各撮像素子から出力される撮像信号は、それぞれＲＧＢ表色系の色情報を有する。
【０００８】
タイミングジェネレータ（ＴＧ）３２は、メインＣＰＵ３１から送出される指令に応じてタイミング信号を発生し、ドライバ３３、ＡＦＥ（Analog  Front  End）回路３４およびＡ／Ｄ変換回路３５のそれぞれにタイミング信号を供給する。ドライバ３３は、撮像素子１１に電荷を蓄積させ、蓄積電荷を掃き出させるための駆動信号を上記タイミング信号を用いて生成し、生成した駆動信号を撮像素子１１へ供給する。ＡＦＥ回路３４は、撮像素子１１から出力される光電変換信号（蓄積電荷）に対するアナログ処理（ゲインコントロールなど）を行う。Ａ／Ｄ変換回路３５は、アナログ処理後の撮像信号をデジタル信号に変換する。
【０００９】
メインＣＰＵ３１は、各ブロックから出力される信号を入力して所定の演算を行い、演算結果に基づく制御信号を各ブロックへ出力する。画像処理回路３０は、たとえばＡＳＩＣとして構成され、Ａ／Ｄ変換回路３５から入力されるデジタル画像信号に対してホワイトバランス調整や彩度補正、階調補正、赤目補正などの画像処理を施す。
【００１０】
ホワイトバランス調整は、たとえば次のように行なわれる。Ａ／Ｄ変換回路３５から出力されるＲ、Ｇ、Ｂ各色の画像信号に基づいて判断された光源に応じて、Ｒ色とＢ色の画像信号に対してＲゲインとＢゲインとがそれぞれかけ合わされる。なお、後述のフェイスクリア撮影モード時においては、上記のホワイトバランス調整を行った後に、たとえば、次のようにして肌色調整が行なわれる。たとえば撮像画面を２５０分割し、各分割領域の中で肌色に近い色の領域が検出され、その領域の色が綺麗な肌色になるように補正される。各光源に対応する綺麗な肌色のデータは、たとえば、予めメインＣＰＵ３１内にテーブル形式などにより格納されている値を使用する。
【００１１】
彩度補正では、彩度が鮮やかなものと、彩度が低いものと、それらの中間値となるように彩度が補正される。たとえば、Ｒ、Ｇ、Ｂ各色の画像信号に基づいて、撮影モードに合わせた彩度になるようにＲゲイン、ＧゲインおよびＢゲインが補正される。後述のフェイスクリア撮影モードにおいては、上記中間値の彩度となるように補正される。階調補正では、Ｒ、Ｇ、Ｂ各色の画像信号のヒストグラムを参照しながら、撮影モードに適した画像の明るさやコントラストが再現できるようにトーンカーブが変更される。フェイスクリア撮影モードにおいては、ヒストグラムに基づいて、被写体のコントラストが中間的になるよう、すなわち人物の顔に影が付きすぎない程度にトーンカーブが補正される。
【００１２】
赤目補正では、画像データをスキャンして赤目領域を検出し、その赤目領域の色を周囲の色と置換することにより、自然な目の表現に補正する。赤目領域の色を黒などの特定の色で塗りつぶしてもよい。
【００１３】
画像圧縮処理回路４４は、画像処理回路３０による画像処理後のデジタル画像信号に対して、ＪＰＥＧ方式などの所定の方式にて画像圧縮処理を行う。表示画像作成回路４２は、画像処理後のデジタル画像信号を用いて、液晶モニタ６に撮像画像を表示するための表示データを作成するとともに、記録媒体４５から読み出した圧縮画像データから表示データを生成する。液晶モニタ６はＬＣＤなどによって構成され、表示データによる画像を表示する。
【００１４】
バッファメモリ４１は、画像処理、画像圧縮処理および表示データ作成処理の途中や処理後のデータを一時的に格納するために使用される。カメラ本体１に対して着脱可能なメモリカードなどで構成される記録媒体４５には、画像圧縮処理後の画像データが記録される。
【００１５】
測光回路４６は、撮像素子１１における測光エリアの画像信号に基づいて被写体の輝度を演算するとともに、閃光装置３の発光判定を行う。測光エリアの画像信号が低輝度の場合には閃光装置３の発光が判定され、メインＣＰＵ３１を介して閃光装置３へ発光が指令される。焦点調節装置４９は、メインＣＰＵ３１から送出される指令に応じて、撮像素子１１から出力される撮像信号に基づいて周知の焦点評価値演算を行い、演算結果をメインＣＰＵ３１へ送出する。メインＣＰＵ３１は演算結果に基づいて、焦点評価値が最大となるように撮影レンズ２を合焦位置に向けて駆動する。
【００１６】
レリーズボタン４の押下操作に連動してオン／オフする半押しスイッチ４７および全押しスイッチ４８は、それぞれオン信号もしくはオフ信号をメインＣＰＵ３１へ出力する。
【００１７】
設定スイッチ７は、オート撮影モードやポートレートアシストモードなどの種々の撮影モードを選択して設定するスイッチである。この設定スイッチ７は、その他、メニュー画面上での各種設定に供される。再生ボタン８は、撮影モード時における押下操作により撮影モードから再生モードに移行して、記録媒体４５に記録されている画像データを読み出し、画像を液晶モニタ６に再生表示する。再生ボタン８を再生モード時において押下操作すると撮影モードへ戻り、撮像素子１１で撮像した画像をスルー画として液晶モニタ６に表示する。
【００１８】
撮影モード時にフェイスクリアボタン５が押下されるとフェイスクリア信号がメインＣＰＵ３１へ出力され、人物撮影に最適な各種処理が行われるフェイスクリア撮影モードに遷移する。その際、液晶モニタ６には、フェイスクリア撮影モードが設定されたことを示すアイコンが表示される。フェイスクリア撮影モード時にフェイスクリアボタン５が再び押下されると、メインＣＰＵ３１はフェイスクリア撮影モードを終了して、遷移前の撮影モードに戻す。また、再生モード時にフェイスクリアボタン５が押下されると、メインＣＰＵ３１は、液晶モニタ６に再生表示されている画像の画像データに対して、人物画像の再生に最適な画像処理を施す。
【００１９】
図３〜図６に示すフローチャートを用いて、本実施の形態におけるコンパクト・デジタルカメラの動作を説明する。なお、このフローチャートにおける各処理は、メインＣＰＵ３１によりプログラムを起動して実行される。このフローチャートの処理は、電源ボタン９がオン操作されると起動するプログラムにより開始される。
ステップＳ１０１において、再生モードであるか否かを判定する。再生モードである場合はステップＳ１０１が肯定判定されてステップＳ１０２へ進み、撮影モードである場合はステップＳ１０１を否定判定してステップＳ１０３へ進む。ステップＳ１０２において、後述の再生モード動作処理のサブルーチンを呼び出して再生モードへ遷移し、サブルーチンにおける処理の後、ステップＳ１０３へ進む。
【００２０】
ステップＳ１０３において、前回電源オフ時に起動していた撮影モードを所定のメモリ領域から読み出してステップＳ１０４へ進む。ステップＳ１０４において、前回の撮影モードがフェイスクリア撮影モードであるか否かを判定する。フェイスクリア撮影モードである場合はステップＳ１０４が肯定判定されてステップＳ１０５へ進み、フェイスクリア撮影モードでない場合はステップＳ１０４が否定判定されてステップＳ１０７へ進む。
【００２１】
ステップＳ１０５において、後述のフェイスクリア撮影モードのサブルーチンを呼び出す。サブルーチンにおける各処理の後、ステップＳ１０６へ進む。ステップＳ１０６において、フェイスクリアフラグを１に設定して、ステップＳ１０９へ進む。なお、フェイスクリアフラグは、フラグ値が１の場合は現在のモードがフェイスクリア撮影モードであることを表し、フラグ値が０の場合は現在のモードがフェイスクリア撮影モード以外の撮影モードであることを表す。
【００２２】
一方、ステップＳ１０４が否定判定されて進んだステップＳ１０７においては、前回の撮影モードに応じた設定値をセットして、ステップＳ１０８へ進む。ステップＳ１０８において、フェイスクリアフラグを０に設定してステップＳ１０９へ進む。
【００２３】
ステップＳ１０９において、後述の撮影動作処理のサブルーチンを呼び出す。サブルーチンにおける各処理の後、ステップＳ１１０へ進む。ステップＳ１１０において、フェイスクリアボタン５が押下操作されたか否かを判定する。フェイスクリアボタン５が押下操作されてステップＳ１１０が肯定判定された場合はステップＳ１１１へ進み、フェイスクリアボタン５が押下操作されずステップＳ１１０が否定判定された場合はステップＳ１１５へ進む。
【００２４】
ステップＳ１１１において、現在のフェイスクリアフラグの値が１であるか否かを判定する。フェイスクリアフラグの値が１の場合はステップＳ１１１が肯定判定されてステップＳ１１２へ進み、値が０の場合はステップＳ１１１が否定判定されてステップＳ１１３へ進む。ステップＳ１１２において、前回の撮影モードを所定のメモリ領域から読み出してステップＳ１０７へ戻る。ステップＳ１１３においては、現在の撮影モードを所定のメモリ領域に記憶してステップＳ１０５へ戻る。
【００２５】
一方、ステップＳ１１０が否定判定されて進んだステップＳ１１５において、再生ボタン８が押下操作されたか否かを判定する。再生ボタン８が押下操作されてオン信号が入力された場合はステップＳ１１５が肯定判定されてステップＳ１１６へ進み、再生ボタン８が押下操作されずオン信号が入力されていない場合はステップＳ１１５が否定判定されてステップＳ１１７へ進む。
【００２６】
ステップＳ１１６において、現在の撮影モードを所定のメモリ領域に記憶してステップＳ１０２へ戻る。ステップＳ１１７において、電源スイッチ９がオフ操作されたか否かを判定する。電源スイッチ９がオフ操作されてステップＳ１１７が肯定判定された場合は、ステップＳ１１８へ進み、現在の撮影モードを所定のメモリ領域に記憶して、一連の動作を終了する。電源スイッチ９がオフ操作されずステップＳ１１７が否定判定された場合はステップＳ１０９へ戻る。
【００２７】
以下、図３におけるステップＳ１０５のフェイスクリア撮影モードのサブルーチンについて、図４に示すフローチャートを用いて説明する。
ステップＳ２０１において、人物撮影に適したポートレート用プログラムＡＥを選択して、以後、選択されたポートレート用プログラムＡＥに従った露出演算が行なわれる。ステップＳ２０２において、人物撮影に適したポートレート用のホワイトバランスを設定して、以後、画像処理回路３０により、選択されたホワイトバランスに基づいた処理が施された画像を液晶モニタ６へスルー画として表示する。
【００２８】
続いて進んだステップＳ２０３においては、人物撮影に適したポートレート用の彩度、階調、すなわち彩度およびコントラストを中間値に設定し、以後、画像処理回路３０により彩度および階調が調節された画像を液晶モニタ６へスルー画として表示する。ステップＳ２０４においては、赤目ストロボモードを設定する。すなわち、閃光装置３によるプリ発光および本発光の設定をする。ステップＳ２０５においては、赤目補正画像処理を有効にしてステップＳ２０６へ進む。
【００２９】
ステップＳ２０６において、顔認識ＡＦモードを設定し、本サブルーチンを抜けて呼び出し元に戻る。顔認識ＡＦモードとは、撮影画像に基づいて顔認識を行ない、その顔に対応する画像データに基づいて焦点調節（顔認識ＡＦ）を行うものである。顔認識ＡＦモードが設定されると、液晶モニタ６に表示中の撮像画面上において、顔認識ＡＦ設定を表すアイコンを表示し、その後、顔認識した領域を矩形枠で表示する。なお、顔認識は、たとえば、撮影画面内の肌色領域を抽出し、その領域内に、一対の目らしき領域が存在する場合に、その領域を顔領域と判定するものである。
ステップＳ２０６における設定が終了すると、フェイスクリア撮影モードにおけるサブルーチンを抜けて呼び出し元へ戻る。
【００３０】
図３におけるステップＳ１０９の撮影動作処理のサブルーチンについて、図５に示すフローチャートを用いて説明する。
ステップＳ３０１において、スルー画を液晶モニタ６に表示してステップＳ３０２へ進む。ステップＳ３０２において、フェイスクリアフラグの値が１か否かを判定する。フラグの値が１である場合、すなわちフェイスクリア撮影モードである場合はステップＳ３０２が肯定判定されてステップＳ３０３へ進む。フェイスクリアフラグの値が０である場合はステップＳ３０２が否定判定されてステップＳ３０５へ進む。
【００３１】
ステップＳ３０３において、画像データに基づいて前述のようにして顔位置を特定してステップＳ３０４へ進む。ステップＳ３０４において、ステップＳ３０３において顔位置として特定された領域を焦点調節領域として設定し、前述のように液晶モニタ６に表示中の撮像画面上における顔認識した領域を矩形表示した後、ステップＳ３０６へ進む。
【００３２】
ステップＳ３０２が否定判定されて進んだステップＳ３０５において、撮影モードにより決定された画像領域を焦点調節領域として設定して、ステップＳ３０６へ進む。ステップＳ３０６において、ステップＳ３０４もしくはステップＳ３０５において設定した領域からの画像データに基づいて焦点調節装置４９により焦点調節を行って、ステップＳ３０７へ進む。
【００３３】
ステップＳ３０７において、レリーズボタン４が半押しされたか否かを判定する。半押しスイッチ４７から半押し信号が入力されると、ステップＳ３０７を肯定判定してステップＳ３０８へ進み、半押し信号が入力されていない場合にはステップＳ３０７を本サブルーチンにおける処理をスキップして呼び出し元へ戻る。
【００３４】
ステップＳ３０８において、レリーズボタン４が全押しされたか否かを判定する。全押しスイッチ４８から全押し信号が入力されると、ステップＳ３０８を肯定判定してステップＳ３１０へ進み、全押し信号が入力されていない場合には、ステップＳ３０８を否定判定してステップＳ３０９へ進む。ステップＳ３０９において、スルー画を液晶モニタ６へ表示してステップＳ３０７へ戻る。
【００３５】
ステップＳ３１０において、撮像素子１１により本撮影を行い、ステップＳ３１１へ進む。本撮影では、ステップＳ２０５において、赤目ストロボモードが設定されていれば、閃光装置３によるプリ発光および本発光を行なって撮影を行なう。ステップＳ３１１において、画像処理回路３０により本撮影された画像データに対して画像処理を施して、ステップＳ３１２へ進む。
【００３６】
ステップＳ３１２において、ステップＳ３１０において閃光装置３による発光が行なわれ、かつステップＳ２０５で赤目補正処理が有効にされているか否かを判定する。ステップＳ３１２が肯定判定された場合はステップＳ３１３へ進み、ステップＳ３１２が否定判定された場合はステップＳ３１３をスキップして、ステップＳ３１４へ進む。ステップＳ３１３において、画像処理回路３０により前述の赤目補正処理が施されてステップＳ３１４へ進む。
【００３７】
ステップＳ３１４において、画像圧縮回路４４により、画像処理後のデジタル画像信号に対してＪＰＥＧ形式などの形式による画像圧縮処理を行い、ステップＳ３１５へ進む。ステップＳ３１５において、圧縮処理された画像データを記録媒体４５に記録してステップＳ３１６へ進む。ステップＳ３１６において、表示画像作成回路４２により、画像処理後のデジタル画像データを用いて表示データを作成する。これにより、撮影画像が液晶モニタ６に表示され、撮影動作処理のサブルーチンを抜けて呼び出し元へ戻る。
【００３８】
図３におけるステップＳ１０２の再生モード処理のサブルーチンについて、図６に示すフローチャートを用いて説明する。
ステップＳ４０１において、記録媒体４５から読み出された画像ファイルを伸張し、画像データに変換してステップＳ４０２へ進む。ステップＳ４０２において、ステップＳ４０１で伸張された画像データを液晶モニタ６に表示して、ステップＳ４０３へ進む。
【００３９】
ステップＳ４０３においては、フェイスクリアボタン５の押下操作が行われたか否かを判定する。フェイスクリアボタン５が押下されステップＳ４０３が肯定判定された場合はステップＳ４０４へ進み、フェイスクリアボタン５が押下されずステップＳ４０３が否定判定された場合には、そのまま再生画像表示を続行してステップＳ４１２へスキップする。
【００４０】
ステップＳ４０４において、記録媒体４５から読み出した再生画像の画像データに対して画像解析、具体的には、ヒストグラムを作成して階調特性を調べてステップＳ４０５へ進む。ステップＳ４０５において、画像処理回路３０によりステップＳ４０４で調べた階調特性に基づいて、再生中の画像データの階調特性を変更し暗部を明るくする、すなわちヒストグラムがシフトするようにトーンカーブを変更してステップＳ４０６へ進む。
【００４１】
ステップＳ４０６において、表示画像作成回路４２により、補正処理後のデジタル画像データを用いて表示データを作成する。そして、図７に示すように、液晶モニタ６に補正処理前のサムネイル画像Ｔ１と補正処理後のサムネイル画像Ｔ２とを同時に表示するとともに、補正処理後の画像の記録実行を促すメニューを表示してステップＳ４０７へ進む。メニューとして、実行ボタンＢ１とキャンセルボタンＢ２が表示される。
【００４２】
ステップＳ４０７において、記録処理を実行するか否か、すなわち図７の「記録実行ボタン」Ｂ１が選択されたか「キャンセルボタン」Ｂ２が選択されたか否かを判定する。「記録実行ボタン」Ｂ１が選択されると、ステップＳ４０７が肯定判定されてステップＳ４０８へ進む。「キャンセルボタン」Ｂ２が選択されてステップＳ４０７が否定判定されると、ステップＳ４０９へ進み、補正処理後の画像データを破棄してステップＳ４１２へスキップする。
【００４３】
ステップＳ４０８において、画像圧縮回路４４により、補正処理後の画像データをＪＰＥＧ形式で圧縮処理してステップＳ４１０へ進む。ステップＳ４１０において、補正処理前の画像ファイルとは異なる新たな画像ファイルとして記録媒体４５に記録してステップＳ４１１へ進む。ステップＳ４１１において、表示画像作成回路４２により、補正処理後の画像を液晶モニタ６に表示してステップＳ４１２へ進む。
【００４４】
ステップＳ４１２において、再生ボタン８が押下操作されたか否かを判定する。再生ボタン８が押下操作されオフ信号が入力された場合はステップＳ４１２が肯定判定され、再生モード処理のサブルーチンを抜けて呼び出し元へ戻る。再生ボタン８が押下操作されずオフ信号が入力されない場合にはステップＳ４１２を否定判定してステップＳ４０２へ戻る。
【００４５】
なお、上述の階調補正や彩度補正処理の補正度合いを、撮影者により設定することも可能である。フェイスクリア撮影モード時に設定スイッチ７を操作すると、図８（ａ）に示す「人物撮影メニュー」が液晶モニタ６に表示される。「人物撮影メニュー」の中から「人物撮影効果」を選択すると、図８（ｂ）に示すメニュー画面が表示される。「人物撮影効果」メニューにおいて、「標準」を選択すると、デフォルトで設定されている補正度合いに基づいて人物撮影に最適な画像処理を行う。「明るめ」を選択すると、画像処理後の画像における人物の肌色が色白になったり、背景をぼかして被写体を強調するように、プログラム線図やオートホワイトバランス、階調の度合いを変えて、露光演算や画像処理を行う。「ソフト」を選択すると、画像処理後の画像のエッジが弱まるように、彩度の度合いを低くする。
【００４６】
以上で説明した実施の形態によるデジタルカメラによれば、以下の作用効果が得られる。
（１）人物に最適な撮影モードまたは、人物に最適な再生モードを指示する専用の操作ボタンとして、フェイスクリアボタン５を設けた。したがって、撮影モードまたは再生モードにおいて、フェイスクリアボタン５を押下操作することで人物撮影または再生に最適な処理を１回の操作により設定できるので、操作性が向上する。
【００４７】
（２）撮影モード時にフェイスクリアボタン５が操作された場合には、顔認識ＡＦ設定、赤目補正、人物撮影用彩度補正、人物撮影用階調補正および人物撮影用ホワイトバランス調整などの人物重視の撮影に必要な複数の設定を１回のボタン操作で行なうことができるので、操作性が向上する。
【００４８】
（３）再生モード時にフェイスクリアボタン５が操作された場合には、再生画像の階調補正、逆光や閃光装置３の発光不足により生じた暗部を明るく補正するなどの人物に最適な再生に必要な設定を行なえるようにした。したがって、メニュー画面の階層から所望の設定をするために複数の選択操作をすることなく、１回のボタン操作で人物に最適な再生処理を設定することができるで、操作性が向上する。
【００４９】
（４）再生モード時にフェイスクリアボタン５が操作された場合には、人物を最適化しない画像処理による画像と、人物を最適化した画像処理による画像（補正画像）を並列表示し、補正後の画像を保存するか否かを選択させるメニューを液晶モニタ６に表示するようにした。したがって、撮影者は補正前後の画像の変化を見比べて、人物を最適化した画像処理の効果を確認してから保存できるので利便性が増す。
【００５０】
（５）さらに加えて、補正後の画像を補正前の画像とは異なる新規画像ファイルとして保存するようにした。したがって、補正前の画像ファイルを操作ミスなどにより消失するなどの事態を防ぐことができる。
【００５１】
（６）フェイスクリア撮影モード非設定時（非人物最適撮影条件設定時）にフェイスクリアボタン５を押下操作すると、そのときに設定されていた非人物重視の各種撮影条件（撮影モード）を記憶して、フェイスクリア撮影モードに移行するようにした。したがって、フェイスクリア撮影モード時にフェイスクリアボタン５が押下操作されたとき、フェイスクリア撮影モードへ遷移する前の撮影モードに簡単に復帰できる。したがって、人物撮影が終了し元の撮影モードに１回のボタン操作で復帰することができるので操作性が向上する。
【００５２】
（７）フェイスクリアボタン５をカメラ中心に対してレリーズボタン４と反対側に設置した。したがって、レリーズ操作した時にフェイスクリア撮影モードを簡単に設定することができる。
【００５３】
以上の実施の形態のカメラを以下のように変形することができる。
（１）再生モード時にもフェイスクリアボタン５が操作された場合には、図６（ｂ）に示すような人物撮影効果の中から、いずれか一つを撮影者により設定可能としてもよい。
【００５４】
（２）フェイスクリアボタン５の設置位置はカメラ本体１の上面としたが、側面であっても前面であっても、レリーズボタン４を操作しつつフェイスクリアボタン５を操作できる位置であればどこでもよい。
【００５５】
（３）人物の撮影に最適な条件および人物の再生に最適な条件は、上記実施の形態で説明したものに何ら限定されない。
【００５６】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００５７】
【図１】本発明の一実施の形態によるデジタルカメラの概観図であり、（ａ）は斜視図、（ｂ）は背面図である。
【図２】デジタルカメラの回路構成を表すブロック図である。
【図３】本発明の実施の形態によるデジタルカメラの動作を説明するフローチャートである。
【図４】フェイスクリア撮影モードのサブルーチンにおける動作を説明するフローチャートである。
【図５】撮影処理のサブルーチンにおける動作を説明するフローチャートである。
【図６】再生モードのサブルーチンにおける動作を説明するフローチャートである。
【図７】再生モードにおける記録実行メニューの表示例を説明する図である。
【図８】人物撮影メニューの表示例を説明する図である。
【符号の説明】
【００５８】
４    レリーズボタン    ５    フェイスクリアボタン
１１  撮像素子          ３０  画像処理回路
３１  メインＣＰＵ      ４９  焦点調節装置
【図１】
0004635899.tif 000002
【図２】
0004635899.tif 000003
【図３】
0004635899.tif 000004
【図４】
0004635899.tif 000005
【図５】
0004635899.tif 000006
【図６】
0004635899.tif 000007
【図７】
0004635899.tif 000008
【図８】
0004635899.tif 000009